(57)【要約】  ワイヤレス通信ネットワークにおけるプッシュ・ツー・トーク通信の待ち時間を減少させる装置および方法である。時間に影響を受け易いプッシュ・ツー・トーク（ＰＴＴ）関連メッセージは、無線移動体デバイスによって異なって扱われるように、特定の専用ヘッダで識別される。特定の専用ヘッダを持つこれらのメッセージは、専用チャネルトラフィックとして送信されているメッセージとは対照的に、シグナリングチャネルを通して無線送信ユニットから移動体デバイスに送信される。【選択図】      図３
2008503988.tif 000002
【特許請求の範囲】
【請求項１】
複数の移動体デバイス間のプッシュ・ツー・トーク（ＰＴＴ）通信における待ち時間を減少させ、各移動体デバイスは、少なくとも1つのシグナリングチャネルおよびデータチャネルを通してワイヤレス通信ネットワークと通信する方法において、
無線信号送信ポイントにおいて、ＰＴＴメッセージを含むデータパケットをデータ通信ネットワークから受け取り、データパケットはヘッダを持つステップと、
データパケットのヘッダをチェックするステップと、
データパケットのヘッダが予め定められた値を持つ場合に、シグナリングチャネルを通してＰＴＴメッセージを移動体デバイスに送信するステップとを含む方法。
【請求項２】
データパケット中のヘッダが予め定められた値を持たない場合に、無線信号送信ポイントと移動局との間でセットアップされる専用アクセスチャネルを要求して、専用アクセスチャネルを通してＰＴＴメッセージを移動体デバイスに送信するステップをさらに含む請求項１記載の方法。
【請求項３】
予め定められた値は、ＰＴＴメッセージが時間に影響を受け易いＰＴＴメッセージであることを示す請求項１記載の方法。
【請求項４】
データパケットのヘッダをチェックするステップは、ヘッダ中の予め定められたフィールドをチェックするステップをさらに含む請求項１記載の方法。
【請求項５】
ＰＴＴメッセージをシグナリングメッセージに埋め込むステップをさらに含む請求項１記載の方法。
【請求項６】
複数の移動体デバイス間のプッシュ・ツー・トーク（ＰＴＴ）通信における待ち時間を減少させ、各移動体デバイスは、シグナリングチャネルおよびデータチャネルを通してワイヤレス通信ネットワークと通信する装置において、
データパケットをデータネットワークから受け取り、各データパケットはヘッダを持ち、ＰＴＴ関連メッセージを含むネットワークインターフェイスユニットと、
ヘッダを持つデータパケットを記憶する記憶ユニットと、
記憶されたデータパケットのヘッダを解析する制御装置ユニットと、
無線信号を通して、記憶されたデータパケットを移動体デバイスに送信する無線インターフェイスユニットとを具備し、
記憶されたデータパケットのヘッダが予め定められた値を持つ場合に、シグナリングチャネルを通して、記憶されたデータパケットを移動体デバイスに送信する装置。
【請求項７】
記憶されたデータパケットのヘッダが予め定められた値を持たない場合に、専用アクセスチャネルを通して、記憶されたデータパケットを移動体デバイスに送信する請求項６記載の装置。
【請求項８】
予め定められた値は、ＰＴＴ関連メッセージが時間に影響を受け易いＰＴＴメッセージであることを示す請求項６記載の装置。
【請求項９】
制御装置は、ヘッダ中の予め定められたフィールドをさらにチェックすることができる請求項６記載の装置。
【請求項１０】
無線インターフェイスユニットが、ＰＴＴメッセージをシグナリングメッセージに埋め込む請求項６記載の装置。
【請求項１１】
複数の移動体デバイス間のプッシュ・ツー・トーク（ＰＴＴ）通信における待ち時間を減少させ、各移動体デバイスは、シグナリングチャネルおよびデータチャネルを通してワイヤレス通信ネットワークと通信する装置において、
データパケットをデータネットワークから受け取り、各データパケットはヘッダを持ち、ＰＴＴ関連メッセージを含む手段と、
ヘッダを持つデータパケットを記憶する手段と、
記憶されたデータパケットのヘッダを解析する手段と、
無線信号を通して、記憶されたデータパケットを移動体デバイスに送信する手段とを具備し、
記憶されたデータパケットのヘッダが予め定められた値を持つ場合に、シグナリングチャネルを通して、記憶されたデータパケットを移動体デバイスに送信する装置。
【請求項１２】
記憶されたデータパケットのヘッダが予め定められた値を持たない場合に、専用アクセスチャネルを通して、記憶されたデータパケットを移動体デバイスに送信する請求項１１記載の装置。
【請求項１３】
予め定められた値は、ＰＴＴ関連メッセージが時間に影響を受け易いＰＴＴメッセージであることを示す請求項１１記載の装置。
【請求項１４】
ヘッダを解析する手段は、ヘッダ中の予め定められたフィールドをさらにチェックすることができる請求項１１記載の装置。
【請求項１５】
記憶されたデータパケットを送信する手段は、ＰＴＴメッセージをシグナリングメッセージにさらに埋め込むことができる請求項１１記載の装置。
【請求項１６】
複数の移動体デバイス間のプッシュ・ツー・トーク（ＰＴＴ）通信における待ち時間を減少させるコンピュータ読取可能な媒体上のコンピュータプログラムにおいて、
各移動体デバイスは、シグナリングチャネルおよびデータチャネルを通してワイヤレス通信ネットワークと通信し、コンピュータプログラムはコンピュータ命令を含み、コンピュータプログラムは、通信サーバによって実行されるときに、
無線信号送信ポイントにおいて、ＰＴＴメッセージを含むデータパケットをデータ通信ネットワークから受け取り、データパケットはヘッダを持つステップと、
データパケットのヘッダをチェックするステップと、
データパケットのヘッダが予め定められた値を持つ場合に、シグナリングチャネルを通してＰＴＴメッセージを移動体デバイスに送信するステップとを行うコンピュータプログラム。
【請求項１７】
データパケット中のヘッダが予め定められた値を持たない場合に、無線信号送信ポイントと移動局との間でセットアップされる専用アクセスチャネルを要求して、専用アクセスチャネルを通してＰＴＴメッセージを移動体デバイスに送信するステップをさらに行う請求項１６記載のコンピュータプログラム。
【請求項１８】
予め定められた値は、ＰＴＴメッセージが時間に影響を受け易いＰＴＴメッセージであることを示す請求項１６記載のコンピュータプログラム。
【請求項１９】
データパケットのヘッダをチェックするステップは、ヘッダ中の予め定められたフィールドをチェックするステップをさらに含む請求項１６記載のコンピュータプログラム。
【請求項２０】
ＰＴＴメッセージをシグナリングメッセージに埋め込むステップをさらに行う請求項１６記載のコンピュータプログラム。
【発明の詳細な説明】
【関連出願】
【０００１】
本出願は、２００４年６月２１日に出願された米国仮特許出願シリアル番号第６０／５８１，７９０号、および２００５年５月３１日に出願された米国仮特許出願シリアル番号第６０／６８６，１３１号の利益を主張している。これらの文書の内容は、参照によりここに明確に組み込まれている。
【発明の分野】
【０００２】
本発明は、ワイヤレス電気通信システムにおけるデータ伝送に関し、さらに詳細に述べると、ワイヤレス電気通信システムのデータパケット内で伝送されるデータタイプの識別に関する。
【関連技術の説明】
【０００３】
ワイヤレス電気通信システムにおいて、プッシュ・ツー・トーク（ＰＴＴ）能力は、サービスセクタによって一般化している。ＰＴＴがサポートできるのは、コード分割多元接続（ＣＤＭＡ）、周波数分割多元接続（ＦＤＭＡ）、時間分割多元接続（ＴＤＭＡ）、グローバルシステムフォーモバイル通信（ＧＳＭ）のような、標準規格の商用ワイヤレスインフラストラクチャを通じて動作する“ディスパッチ”音声サービスである。ディスパッチモデルでは、エンドポイント（エンドユーザデバイス）間の通信は、仮想グループ内で発生し、一人の“話者”の音声が、一人以上の“受話者”にブロードキャストされる。このタイプの通信の単一の例は、ディスパッチ通話、すなわち簡単に言うと、ＰＴＴ通話と呼ばれることが一般的である。ＰＴＴ通話は、通話の特徴を規定するグループのインスタンシエーションである。基本的に、メンバリストおよびグループ名またはグループ識別のような関係する情報によって、グループが規定される。ワイヤレスマルチキャストチャネルがないときは、通話を管理するアプリケーションサーバと各エンドポイントとの間の別のポイントツーポイント接続の組み合わせによって、各グループは形成される。各エンドポイントはクライアントとしても知られている。
【０００４】
図１は、ＰＴＴ通信をサポートする先行技術のアーキテクチャ１００を図示している。アーキテクチャは、キャリアのＣＤＭＡのインフラストラクチャおよびパケットデータネットワークとともに、単一のアプリケーションサーバ領域の配備を含む。アプリケーションサーバの各領域は、キャリアパケットデータネットワークの特定の部分に対して配備される。領域内のアプリケーションサーバは、キャリアネットワークにおいて、１つ以上のパケットデータサービスノード（ＰＤＳＮ）間のトラフィックをルーティングしてもよい。ＰＴＴ機能をサポートする通信デバイス１０２は、基地局１０４と通信する。基地局１０４は高速ネットワーク１０６と通信し、通信デバイス１０２から受け取られたＰＴＴ通信は、基地局１０４とネットワーク１０６とを通ってパケットデータサービスノード（ＰＤＳＮ）に送られる。ＰＤＳＮは、高速ネットワーク１０６およびアプリケーションサーバのネットワーク１０８と通信し、アプリケーションサーバのネットワーク１０８は、ＰＴＴネットワーク１１０に接続されている。ＰＤＳＮは、ＰＴＴ通信をＰＴＴネットワーク１１０中のアプリケーションサーバ１１２に転送する。
【０００５】
アプリケーションサーバ１１２は、ＰＴＴ通信を一人のメンバから受け取り、そのＰＴＴ通信をＰＴＴグループのすべてのメンバに転送する。ＰＴＴ通信は、一般的に、ネットワーク１１０からデータパケットとして受け取られ、アプリケーションサーバ１１２によって送出されるＰＴＴ通信もデータパケットフォーマットである。受信移動体スイッチングセンタ（ＭＳＣ）および接続された基地局（ＢＳ）は専用チャネルを確立して、受信移動体クライアント（ＰＴＴメンバ）にＰＴＴ通信を送信する。
【０００６】
図２は、ＰＴＴ通話セットアップの先行技術のメッセージフロー２００を図示している。ＰＴＴユーザ（発信者）がＰＴＴ通信を実行する準備ができたとき、ユーザ（発信者）が自分の移動体デバイス１０２上のＰＴＴ起動ボタンを押すと、ＰＴＴ要求が実行される。移動体デバイス１０２によって受け取られたＰＴＴ要求に応答して、移動体デバイスは通話要求メッセージをアプリケーションサーバ１１２に送る。このアプリケーションサーバ１１２は、ＰＴＴディスパッチャとしても知られている。アプリケーションサーバ１１２は、通話要求メッセージを受け取り、通話要求メッセージを処理する。通話要求処理は、ＰＴＴユーザを識別することと、ＰＴＴユーザが属しているＰＴＴグループを識別することと、このＰＴＴグループのメンバを識別することと、ＰＴＴグループの各メンバに送る通話通知メッセージを準備することとを含む。
【０００７】
アプリケーションサーバ１１２が通話通知メッセージを送った後、各通話通知メッセージはＭＳＣによって受け取られ、ＭＳＣによってＢＳに転送される。ＢＳは、通話通知メッセージをブロードキャストする。ターゲット受信機である移動体クライアントが利用可能である場合、移動体クライアントは、通話受入メッセージをアプリケーションサーバ１１２に返信する。通話受入メッセージを少なくとも１つの移動体クライアントから受け取った後、アプリケーションサーバ１１２は、発信移動体クライアントに発言許可メッセージを返信する。発信者のＰＴＴ通信グループ中に一人より多いターゲットユーザがいてもよく、少なくとも一人のターゲット移動クライントが利用可能である場合に、アプリケーションサーバ１１２は発信者に対して発言を許可する。発言許可メッセージを受け取った後、ＰＴＴ要求移動クライアント（発信者）はＰＴＴ通信を実行できる。先に記述したＰＴＴ関連メッセージは、データパケットとして送信され、インターネットプロトコル（ＩＰ）データパケットとして送信されることが好ましい。他のデータフォーマットを使用して、これらのＰＴＴ関連メッセージも伝送できる。
【０００８】
先に記述したＰＴＴ通信セットアッププロセスは時間に影響を受け易く、図２で示している初期ＰＴＴ待ち時間は、ネットワークトラフィックによって影響を受ける。長い待ち時間は、ＰＴＴ通信ユーザに直接影響を及ぼす。したがって、ＰＴＴ待ち時間を減少させるシステムおよび方法が望まれ、そのようなシステムおよび方法に本発明は主に向けられている。
【本発明の概要】
【０００９】
本発明の装置および方法によって、ＰＴＴ通信ユーザからのＰＴＴ関連入力に対する高速な応答が可能になる。１つの実施形態において、複数の移動体デバイス間のプッシュ・ツー・トーク（ＰＴＴ）通信における待ち時間を減少させる方法を提供する。各移動体デバイスは、シグナリングチャネルおよびデータチャネルを通してワイヤレス通信ネットワークと通信する。方法は、無線信号送信ポイントにおいて、ヘッダを持ち、ＰＴＴメッセージを含むデータパケットをデータ通信ネットワークから受け取ることと、データパケットのヘッダをチェックすることと、およびデータパケットのヘッダが予め定められた値を持つ場合には、専用アクセスチャネルがブリッジされることを待つこととは対照的に、シグナリングチャネルを通してＰＴＴメッセージを移動体デバイスに送信することとを含む。
【００１０】
別の実施形態において、各移動体デバイスがシグナリングチャネルおよびデータチャネルを通してワイヤレス通信ネットワークと通信している、複数の移動体デバイス間のプッシュ・ツー・トーク（ＰＴＴ）通信における待ち時間を減少させる装置を提供する。装置は、各データパケットがヘッダを持ち、ＰＴＴ関連メッセージを含んでいるデータパケットをデータネットワークから受け取るネットワークインターフェイスユニットと、ヘッダを持つデータパケットを記憶する記憶ユニットと、記憶されたデータパケットのヘッダを解析する制御装置ユニットと、無線信号を通して、記憶されたデータパケットを移動体デバイスに送信する無線インターフェイスユニットとを備え、記憶されたデータパケットのヘッダが予め定められた値を持つ場合に、この無線インターフェイスユニットは、シグナリングチャネルを通して、記憶されたデータパケットを移動体デバイスに送信する。
【００１１】
したがって、周期的に確立される専用通信チャネルとは対照的に、常に確立されているシグナリングチャネルを使用することによって、複数のユーザ間のＰＴＴ通信における待ち時間を減少させるので、本装置および本方法は効果的である。本発明の効果および特徴は、図面の簡単な説明、発明の詳細な説明および特許請求の範囲に記載されている以後のものをレビューした後に明らかになるであろう。
【発明の詳細な説明】
【００１２】
この説明では、“通信デバイス”、“ワイヤレスデバイス”、“ワイヤレス通信デバイス”、“ＰＴＴ通信デバイス”、“ハンドヘルドデバイス”、“移動体デバイス”および“ハンドセット”というこれらの言葉を同義的に用いる。ここで用いるような“アプリケーション”という言葉には、実行可能および実行不可能なソフトウェアファイル、生データ、集積データ、パッチおよび他のコードセグメントを含めることを意図している。“例示的な”という言葉は、開示された構成要素または実施形態が例のみであることを意味しており、この言葉は、ユーザの何らかのパフォーマンスを示していない。さらに、同じ番号は、いくつかの図面を通して同じ構成要素を参照し、説明において特定しない限り、冠詞“ａ”および“ｔｈｅ”は複数形の参照を含む。
【００１３】
概略において、本発明のシステムおよび方法は、ワイヤレスデバイスとワイヤレス通信ネットワークとの間のプッシュ・ツー・トーク（ＰＴＴ）通信の待ち時間の遅延を減少させる。一般的に、ワイヤレスデバイスがＰＴＴ通信を基地局（ＢＳ）に送信する準備ができたとき、ワイヤレスデバイスは、シグナリングチャネルを通してチャネル要求をＢＳに送る。ＢＳが、リバースアクセスチャネルを確立すると、ワイヤレスデバイスはリバースアクセスチャネルを通してＰＴＴ通信をＢＳに送信する。同様に、ＢＳがＰＴＴ通信をワイヤレスデバイスに送信する準備ができたとき、ＢＳはシグナリングチャネルを通してページングメッセージをブロードキャストする。ワイヤレスデバイスがページングメッセージを確認した後、ＢＳはワイヤレスデバイスに対してフォワードアクセスチャネルを確立し、フォワードアクセスチャネルを通してＰＴＴ通信をワイヤレスデバイスに送信する。図２で示したチャネル要求および他のＰＴＴ通話セットアップメッセージ、ならびにＰＴＴ通信は、ワイヤレス通信ネットワークおよびデータ通信ネットワークを通してデータパケットとして送信される。
【００１４】
しかしながら、ＰＴＴ通信は、ワイヤレスデバイスのユーザに提供されるサービスのみではなく、電子メール、インターネットウェブブラウジング、ショートメッセージサービス（ＳＭＳ）等の、他のサービスもユーザにとって利用可能である。アプリケーションサーバ１１２は、ＰＴＴグループのメンバ間のＰＴＴ通信のみではなく、ワイヤレスデバイスに提供される他のサービスもまた取り扱う。これらサービスのすべてに関連するデータも、アプリケーションサーバ１１２とワイヤレスデバイス１０２との間でデータパケットとして送信される。これらのデータパケットは、他の何らかのデータパケットのように、アプリケーションサーバ１１２および基地局１０４によって処理されてもよい。さらなるデータパケットはトラフィックを増加させ、ワイヤレス通信ネットワークの速度を落とす。
【００１５】
ワイヤレス通信ネットワークにおけるデータパケットは異なったタイプのサービスをサポートするので、データパケットには、異なったタイプのサービスのデータを含んでおり、データパケットはデータパケットのヘッダによって識別される。本発明の１つの実施形態にしたがうと、データパケットの内容に応じて、ＰＴＴ通話セットアップ関連メッセージ、ＰＴＴ通信メッセージ、および他のサービス関連メッセージの３つのカテゴリにデータパケットを大きく分類することができる。ＰＴＴ通話セットアップ関連メッセージは、ＰＴＴユーザに認知できるので非常に時間に影響を受け易い。遅延がＰＴＴ通信においてジッタを引き起こすことがあるので、ＰＴＴ通信メッセージも時間に影響を受け易い。他の一般的なサービス関連メッセージは、音声通信、電子メールメッセージ、ウェブブラウジングメッセージ、およびショートメッセージサービスを含む。これらの非ＰＴＴ関連メッセージは、ほとんど時間に影響を受けない。上記に述べたサービスはサービスの例のみであり、上記にリストアップしていないサービスも時間の影響の受け易さの観点から分類されることを、当業者は正しく理解している。
【００１６】
図３は、本発明の１つの実施形態にしたがったパケットヘッダ３００を図示している。各フィールドが特定の機能に対してラベル付けされている複数のフィールドがある。８ビットフィールドのサービスのタイプ（ＴＯＳ）３０２は、データフィールド３０４中のデータのサービスのタイプを示している。図４は、８ビットＴＯＳフィールド３０２を２つのサブフィールド、クラスセレクタ４０２およびサービスセレクタ４０４に分割した、８ビットＴＯＳフィールドの１つの実施形態の実例４００である。クラスセレクタを使用して、データ３０４が属するクラスを識別することができる。例えば、データは、ＰＴＴセットアップメッセージであり、時間に影響を受け易いクラスに属していてもよい。代わりに、データはＰＴＴ通信の一部分であり、ＰＴＴセットアップメッセージと比較して、時間に対する影響の受け易さが少しだけ少ないクラスに属していてもよい。サービスセレクタ４０４を使用して、データ３０４が属するサービスを識別することができる。例えば、データはＰＴＴ通話受入メッセージであってもよい。同じ情報を示すデータパケットヘッダにおける異なったフィールドを、当業者が、編み出してもよく、または使用してもよいことを理解する。
【００１７】
ワイヤレスデバイスがアプリケーションサーバ１１２と通信するときに、ワイヤレスデバイスによってデータパケットが発生される。ワイヤレスデバイスは、ワイヤレスデバイスが取り扱っている特定のサービスのデータパケットを発生させ、ＴＯＳフィールドを設定して、そのサービスを反映させる。ワイヤレスデバイスは、ＴＯＳフィールドをチェックして、データパケットを基地局１０４に送るために専用チャネルを要求するか否かを決定する。代わりに、ワイヤレスデバイスが取り扱うデータのタイプについて、ワイヤレスデバイスは既に知っており、その情報を使用して、シグナリングチャネルを通してデータファイルを基地局１０４に送るか否かを決定してもよい。基地局１０４が情報を受け取った後、基地局１０４は、処理するためにデータパケットをアプリケーションサーバ１１２に転送する。
【００１８】
アプリケーションサーバ１１２がデータパケットを発生させ、データが関連するサービスのタイプにしたがって、メッセージのＴＯＳフィールドを設定してもよい。例えば、アプリケーションサーバ１１２は、データパケット中の通話受入メッセージをワイヤレスデバイスから受け取り、ＰＴＴ発信ユーザに送る発言許可メッセージを発生させてもよい。発言許可メッセージは、ＰＴＴ発信ユーザを受け持つ基地局１０４にデータパケットで送られる。基地局１０４は、データパケットを受け取り、データパケットのＴＯＳフィールドをチェックする。データパケットが時間に影響を受け易いメッセージであることを基地局１０４が認識すると、基地局１０４は、シグナリングチャネルを通して発言許可メッセージをＰＴＴ発信ユーザのワイヤレスデバイスに送信する。データパケットが、時間に影響を受けにくいメッセージであるウェブサイト関連データを含んでいる場合、基地局１０４は、基地局１０４とワイヤレスデバイスとの間でセットアップされる専用チャネルを要求する。
【００１９】
図５は、基地局１０４において、入ってくるデータパケットを取り扱うプロセスのフローチャート５００である。ステップ５０２において、基地局１０４がデータパケットを受け取ったとき、ステップ５０４において、基地局１０４はデータパケットのヘッダをチェックする。パケットヘッダ中のＴＯＳフィールが時間に影響を受け易いとしてマークされていた場合、ステップ５０６において、基地局１０４が、シグナリングチャネルを通してデータパケットの情報を送信する。パケットのヘッダ中のＴＯＳフィールドが時間に影響を受け易いとしてマークされていない場合、ステップ５０８において、基地局１０４は専用チャネルを確立し、ステップ５１０において、専用チャネルを通してデータパケットをターゲットワイヤレスデバイスに送る。
【００２０】
以下は、本発明を例示する使用シナリオである。第１のユーザがユーザのワイヤレスデバイスを通して電子メールにアクセスしたとき、ユーザは返信メールを第２のユーザに送る。ワイヤレスデバイスがデータパケットに返信メールをパックし、時間に影響を受けにくい電子メールサービスとしてデータパケットのＴＯＳフィールドをマークする。ワイヤレスデバイスがリバースチャネルを要求した後に、このリバースチャネルを通してデータパケットを基地局１０４に送る。基地局１０４がデータパケットを受け取り、データパケットのヘッダにしたがって、データパケットの宛先、アプリケーションサーバ１１２にデータパケットを転送する。
【００２１】
アプリケーションサーバ１１２は、データパケットを受け取り、データパケットが第２のユーザに対する返信ｅメールであることを認識する。アプリケーションサーバ１１２は、第２のユーザを受け持つ基地局１０４にデータパケットを転送する。基地局１０４はデータパケットを受け取り、データパケットのＴＯＳフィールドをチェックし、専用アクセスチャネルを要求する。フォワードアクセスチャネルがセットアップされた後、基地局１０４はフォワードアクセスチャネルを通してデータパケットを第２のユーザのワイヤレスデバイスに送る。
【００２２】
第２のユーザが返信ｅメールを読んだ後に、第２のユーザはプッシュ・ツー・トーク機能を通して第１のユーザと通信することを決定する。第２のユーザが第２のユーザのワイヤレスデバイス上のＰＴＴボタンを起動すると、ワイヤレスデバイスは、アプリケーションサーバ１１２に対する通話要求メッセージを持つデータパケットを発生させる。ワイヤレスデバイスが、シグナリングチャネルを通して通話要求メッセージを持つデータパケットを基地局１０４に送信するのは、ワイヤレスデバイスがデータパケットを時間に影響を受け易いメッセージを含んでいるとして認識するからである。基地局１０４はデータパケットを受け取り、データパケットをアプリケーションサーバ１１２に転送する。
【００２３】
アプリケーションサーバ１１２は、データパケットをチェックし、データパケットが通話要求メッセージを含んでいることを認識する。アプリケーションサーバ１１２は、第１のユーザおよび第２のユーザが属しているＰＴＴ通信グループが使用されているか否かをチェックする。別のユーザがＰＴＴ通信グループに対する発言がある場合、通話要求は拒否される。ＰＴＴ通信グループの発言が利用可能である場合、アプリケーションサーバ１１２はＰＴＴ通信グループのメンバを識別し、通話通知メッセージを持つデータパケットを発生させて、ＰＴＴ通信グループのすべてのメンバにデータパケットをブロードキャストする。
【００２４】
通話通知メッセージを持つデータパケットが、第１のユーザを受け持つ基地局１０４に受け取られると、基地局１０４はデータパケットのヘッダのＴＯＳフィールドをチェックする。データパケットが時間に影響を受け易いメッセージを含むことを、基地局１０４が認識すると、シグナリングチャネルを通してデータパケットを第１のユーザのワイヤレスデバイスに送る。ワイヤレスデバイスが利用可能である場合には、図２で図示したように、ワイヤレスデバイスは通話受入メッセージを返信する。図２の他のステップは同様に実行され、これらのステップをサポートするデータパケットは、ＴＯＳフィールドによって識別されるメッセージのタイプによって決まる、シグナリングチャネルまたは専用チャネルを通して送信される。
【００２５】
専用アクセスチャネルがセットアップされるのを要求して待つ代わりに、シグナリングチャネルを通して時間に影響を受け易いメッセージを送信することによって、ＰＴＴ通信における待ち時間が減少され、したがって、ユーザにとってＰＴＴ機能の使用がより快適になる。
【００２６】
ワイヤレスサービスプロバイダのコンピュータデバイスまたはワイヤレス通信デバイスで実行可能な方法を考慮すると、方法は、コンピュータ読取可能な媒体に存在しているプログラムによって行われる。プログラムは、コンピュータプラットフォームを持つサーバまたは他のコンピュータデバイスに対して方法のステップを行うように命令する。コンピュータ読取可能な媒体はサーバのメモリであってもよく、または接続可能なデータベース中に存在していてもよい。さらに、磁気ディスクまたはテープ、光ディスク、ハードディスク、フラッシュメモリ、あるいは技術的に知られている他の記憶媒体のような、ワイヤレス通信デバイスコンピュータプラットフォーム上にロード可能な二次記憶媒体中に、コンピュータ読取可能な媒体は存在することができる。
【００２７】
図５の内容において、方法は、例えば、ワイヤレス通信デバイスまたはサーバのようなワイヤレスネットワークの一部分を動作させることによって実現されて、機械読取可能な命令のシーケンスを実行してもよい。ステップをシーケンスで図示しているが、方法は、異なったシーケンスで実現されてもよく、またはイベント駆動プロセスとして実現されてもよい。命令は、さまざまなタイプの信号担持またはデータ記憶の一次、二次または三次の媒体に存在してもよい。媒体は、例えば、ワイヤレスネットワークのコンポーネントによりアクセス可能な（示されていない）ＲＡＭ、または、そのコンポーネント内に存在する（示されていない）ＲＡＭを含んでいてもよい。ＲＡＭ、ディスケット（登録商標）、または他の第二次記憶メディア中に含まれているか否かにより、ＤＡＳＤ記憶装置（例えば、従来の“ハードドライブ”またはＲＡＩＤアレイ）、磁気テープ、電子リードオンリーメモリ（例えば、ＲＯＭ、ＥＰＲＯＭまたはＥＥＰＲＯＭ）、フラッシュメモリカード、光記憶デバイス（例えば、ＣＤ−ＲＯＭ、ＷＯＲＭ、ＤＶＤ、デジタル光テープ）、ペーパー“パンチ”カードまたはデジタルおよびアナログ送信媒体を含む他の適切なデータ記憶媒体のような、さまざまな機械読取可能なデータ記憶媒体上に命令を記憶されてもよい。
【００２８】
これらの好ましい実施形態に関連して、本発明を詳しく示し、説明しているが、添付した特許請求の範囲に示している本発明の精神および範囲を逸脱することなく、形態におけるさまざまな変更および細部にわたる変更ができることを、当業者は理解すべきである。例えば、上記の説明は、オーディオＰＴＴ通信に基づいており、ビデオ、データ等のような他のタイプの媒体をサポートするように、装置、システムおよび方法を容易に修正できることを理解すべきである。さらに、本発明の構成要素は単数形で記述され、特許請求の範囲に記載されているが、単数形に対する限定が明示的に示されない限り、複数形を意図している。
【図面の簡単な説明】
【００２９】
【図１】図１は、ワイヤレス通信ネットワークの先行技術アーキテクチャである。
【図２】図２は、ＰＴＴ通話をセットアップする先行技術メッセージフローである。
【図３】図３は、データパケットのヘッダの例示的な実施形態である。
【図４】図４は、データパケットのヘッダ中のサービスフィールのタイプの例示的な実施形態である。
【図５】図５は、基地局のプロセスの例示的な実施形態のフローチャートである。
【図１】
2008503988.tif 000003
【図２】
2008503988.tif 000004
【図３】
2008503988.tif 000005
【図４】
2008503988.tif 000006
【図５】
2008503988.tif 000007
【国際調査報告】
2008503988.tif 000008
2008503988.tif 000009